(57)【要約】【課題】比較的ボリュームがあるカーペットラグであっても、折り畳みのための切り込みを設けなくても、徒に嵩張らずコンパクトに折り畳むことができ、家庭用の洗濯機で洗濯が可能な家庭用カーペットラグを提供することを目的とする。【解決手段】本発明の家庭用カーペットラグは、パイル糸と基布と目止め層とを有するタフテッドカーペットにおいて、パイル糸がループパイルとカットパイルからなり、タフテッドカーペットを折り畳む山折り部及び谷折り部のパイル糸がループパイルであることを特徴とする。【選択図】図１
2016221169.tif 000002
【特許請求の範囲】
【請求項１】
パイル糸と基布と目止め層とを有するタフテッドカーペットにおいて、
前記パイル糸がループパイルとカットパイルからなり、
前記タフテッドカーペットを折り畳む山折り部及び谷折り部のパイル糸がループパイルであることを特徴とする家庭用カーペットラグ。
【請求項２】
前記タフテッドカーペットを折り畳む山折り部及び谷折り部のパイル糸のみがループパイルである請求項１に記載の家庭用カーペットラグ。
【請求項３】
前記タフテッドカーペットは矩形であり、
前記タフテッドカーペットのタフト方向に直行する山折り部及び谷折り部で屏風状に折り畳む山折り部と谷折り部の合計数が奇数である請求項１または２に記載の家庭用カーペットラグ。
【請求項４】
前記タフテッドカーペットは矩形であり、
前記タフテッドカーペットのタフト方向に山折り部及び谷折り部で屏風状に折り畳む山折り部と谷折り部の合計数が２又は奇数である請求項１〜３のいずれか１項に記載の家庭用カーペットラグ。
【請求項５】
前記山折り部の幅が１ｃｍ〜４ｃｍであり、
前記谷折り部の幅が１ｃｍ〜４ｃｍである請求項１〜４のいずれか１項に記載の家庭用カーペットラグ。
【請求項６】
前記タフテッドカーペットは矩形であり、
前記タフテッドカーペットのタフト方向に直行する山折り部及び谷折り部で屏風状に折り畳んだ後、
前記タフテッドカーペットのタフト方向に平行な山折り部及び谷折り部で屏風状に折り畳むことで、
略外寸が底面の縦及び横が３０ｃｍ〜３８ｃｍ角、高さ２８ｃｍ〜３５ｃｍとなる請求項１〜５のいずれか１項に記載の家庭用カーペットラグ。
【請求項７】
前記タフテッドカーペットは矩形であり、
前記タフテッドカーペットのタフト方向に直行する折り目を中心に、
前記タフテッドカーペットのパイル糸側を外側に２つ折りにする山折り部から次の谷折り部までの間隔（Ａ）と該谷折り部から次の山折り部までの間隔（Ｂ）に１．５ｃｍ〜３ｃｍの差を設け、以降（Ａ）と（Ｂ）を交互に繰り返す山折り部と谷折り部を、
最初の折り目に対称に設けた請求項１〜６のいずれか１項に記載の家庭用カーペットラグ。
【請求項８】
前記タフテッドカーペットは矩形であり、
前記タフテッドカーペットのタフト方向に直行する折り目を中心に、
前記タフテッドカーペットのパイル糸側を内側に２つ折りにする谷折り部から次の山折り部までの間隔（Ａ）と該山折り部から次の谷折り部までの間隔（Ｂ）に１．５ｃｍ〜３ｃｍの差を設け、以降（Ａ）と（Ｂ）を交互に繰り返す谷折り部と山折り部を、
最初の折り目に対称に設けた請求項１〜６のいずれか１項に記載の家庭用カーペットラグ。
【発明の詳細な説明】
【技術分野】
【０００１】
本発明は、家庭等で使用されるカーペットに関する。詳しくはコンパクトに畳みやすく、折り畳むことにより家庭用洗濯機で十分洗濯できるカーペットラグに関する。
【背景技術】
【０００２】
家庭用のカーペットとしては、タフテッドカーペットラグ、マイヤーカーペット（電気カーペットのカバー等）やホームタイル等が知られている。これらのカーペットは、取外して干したり、使わない場合は収納したりする。そして汚れたら掃除や洗濯して繰り返し使用される。
【０００３】
このような敷物として、折り曲げ指標が５０ｇ未満で、かつ裏面（床との接触面）の摩擦指標が７０ｇ以上５００ｇ以下に設定され、面積が１００００ｃｍ２以上７００００ｃｍ２以下、総重量が４０００ｇ以下の敷物が公知である（特許文献１）。また、タフテッドカーペットの基布裏面にシート部材を貼り付けたタイルカーペットが公知である（特許文献２）。
【０００４】
特許文献１には、家庭用洗濯機で手軽に洗濯することができ、毛布のようにコンパクトに折り畳み収納することが記載されている。また、特許文献２には、基布に切り込みを入れることで、切り込まれた位置で折り畳めその状態を保持できるので家庭用の洗濯機を用いても洗濯槽内壁にタイルカーペットの反力が加わることがなく、多くの枚数を一度に効果的にきれいに洗うことができることが記載されている。
【先行技術文献】
【特許文献】
【０００５】
【特許文献１】特開２０００−２８７８１８号公報
【特許文献２】特開平９−２７６１１７号公報
【発明の概要】
【発明が解決しようとする課題】
【０００６】
しかしながら、特許文献１の敷物は、マイヤー毛布用原反を利用し総重量４ｋｇ以下の敷物であって、比較的薄手で軽量な敷物に限られており、ボリュームがある敷物では手軽に洗濯するのは困難であった。また、特許文献２のタイルカーペットでは、基布に切り込みを入れることで、切り込まれた位置で折り畳めるが、最下層のシート部材以外には切り込みを入れなければならず、すなわち基布に積層される樹脂層やガラス不織布層等すべてにかけて切断し切り込みを入れなければならなかった。
【０００７】
本発明は、かかる技術的背景に鑑みてなされたものであって、比較的ボリュームがあるカーペットラグであっても、折り畳みのための切り込みを設けなくても、徒に嵩張らずコンパクトに折り畳むことができ、家庭用の洗濯機で洗濯が可能な家庭用カーペットラグを提供することを目的とする。
【課題を解決するための手段】
【０００８】
前記目的を達成するために、本発明は以下の手段を提供する。
【０００９】
［１］パイル糸と基布と目止め層とを有するタフテッドカーペットにおいて、
前記パイル糸がループパイルとカットパイルからなり、
前記タフテッドカーペットを折り畳む山折り部及び谷折り部のパイル糸がループパイルであることを特徴とする家庭用カーペットラグ。
【００１０】
［２］前記タフテッドカーペットを折り畳む山折り部及び谷折り部のパイル糸のみがループパイルである前項１に記載の家庭用カーペットラグ。
【００１１】
［３］前記タフテッドカーペットは矩形であり、
前記タフテッドカーペットのタフト方向に直行する山折り部及び谷折り部で屏風状に折り畳む山折り部と谷折り部の合計数が奇数である前項１又は２に記載の家庭用カーペットラグ。
【００１２】
［４］前記タフテッドカーペットは矩形であり、
前記タフテッドカーペットのタフト方向に山折り部及び谷折り部で屏風状に折り畳む山折り部と谷折り部の合計数が２又は奇数である前項１〜３のいずれか１項に記載の家庭用カーペットラグ。
【００１３】
［５］前記山折り部の幅が１ｃｍ〜４ｃｍであり、
前記谷折り部の幅が１ｃｍ〜４ｃｍである前項１〜４のいずれか１項に記載の家庭用カーペットラグ。
【００１４】
［６］前記タフテッドカーペットは矩形であり、
前記タフテッドカーペットのタフト方向に直行する山折り部及び谷折り部で屏風状に折り畳んだ後、
前記タフテッドカーペットのタフト方向に平行な山折り部及び谷折り部で屏風状に折り畳むことで、
略外寸が底面の縦及び横が３０ｃｍ〜３８ｃｍ角、高さ２８ｃｍ〜３５ｃｍとなる前項１〜５のいずれか１項に記載の家庭用カーペットラグ
【００１５】
［７］前記タフテッドカーペットは矩形であり、
前記タフテッドカーペットのタフト方向に直行する折り目を中心に、
前記タフテッドカーペットのパイル糸側を外側に２つ折りにする山折り部から次の谷折り部までの間隔（Ａ）と該谷折り部から次の山折り部までの間隔（Ｂ）に１．５ｃｍ〜３ｃｍの差を設け、以降（Ａ）と（Ｂ）を交互に繰り返す山折り部と谷折り部を、
最初の折り目に対称に設けた前項１〜６のいずれか１項に記載の家庭用カーペットラグ。
【００１６】
［８］前記タフテッドカーペットは矩形であり、
前記タフテッドカーペットのタフト方向に直行する折り目を中心に、
前記タフテッドカーペットのパイル糸側を内側に２つ折りにする谷折り部から次の山折り部までの間隔（Ａ）と該山折り部から次の谷折り部までの間隔（Ｂ）に１．５ｃｍ〜３ｃｍの差を設け、以降（Ａ）と（Ｂ）を交互に繰り返す谷折り部と山折り部を、
最初の折り目に対称に設けた前項１〜６のいずれか１項に記載の家庭用カーペットラグ。
【発明の効果】
【００１７】
［１］の発明では、タフテッドカーペットを折り畳む山折り部及び谷折り部のパイル糸がループパイルなので、従来の比較的ボリュームのあるカーペットでは折り曲げにくいが、本発明の家庭用カーペットラグは、折り畳みのための切り込みを設けなくても、容易に折り畳むことができる。しかも、徒に嵩張らないのでコンパクトに折り畳むことができ、そのため家庭用の洗濯機で洗うことができる。
【００１８】
［２］の発明では、タフテッドカーペットを折り畳む山折り部及び谷折り部のパイル糸のみがループパイルなので、カーペットのどこを折り畳めるかがより分かり易いため、誰でもコンパクトに折り畳むことができる。
【００１９】
［３］の発明では、矩形でのタフテッドカーペットのタフト方向に直行する山折り部及び谷折り部で屏風状に折り畳む山折り部と谷折り部の合計数が奇数なので、カーペットの表面または裏面のいずれか一方の面だけを外側することができる。
【００２０】
［４］の発明では、矩形のタフテッドカーペットのタフト方向に山折り部及び谷折り部で屏風状に折り畳む山折り部と谷折り部の合計数が２又は奇数なので、［３］の効果に加え、縦方向及び横方向とも屏風状に折り畳んでカーペットの表面または裏面のいずれか一方の面だけを外側にして畳むことができる。こうして、汚れの激しい面等を外側にすることができるので、カーペットをより効果的に洗濯することができる。
【００２１】
［５］の発明では、山折り部の幅が１ｃｍ〜４ｃｍであり、谷折り部の幅が１ｃｍ〜４ｃｍであるから、十分折り曲げや易いばかりでなく、折り畳んだ後の山折り部及び谷折り部とも馴染むためより一層コンパクトに折り畳むことができる。
【００２２】
［６］の発明では、矩形のタフテッドカーペットのタフト方向に直行する山折り部及び谷折り部で屏風状に折り畳み、続いて、タフテッドカーペットのタフト方向に平行な山折り部及び谷折り部で屏風状に折り畳むことで、厚みがあっても曲げ易く畳みやすい。こうして、略外寸が底面の縦及び横が３０ｃｍ〜３８ｃｍ角、高さ２８ｃｍ〜３５ｃｍとなるので、容量９Ｋｇの家庭用洗濯機で無理なく容易に洗濯することができる。
【００２３】
［７］の発明では、矩形のタフテッドカーペットのタフト方向に直行する折り目を中心に、前記タフテッドカーペットのパイル糸側を外側に２つ折りにする山折り部から次の谷折り部までの間隔（Ａ）と該谷折り部から次の山折り部までの間隔（Ｂ）に１．５ｃｍ〜３ｃｍの差を設け、以降（Ａ）と（Ｂ）を交互に繰り返す山折り部と谷折り部を、最初の折り目に対称に設けているので、折り畳んだカーペットの山折り部の側の重なりが、同じ位置になることなく前記差の分だけずれることからより一層コンパクトに折り畳むことができる。
【００２４】
［８］の発明では、矩形のタフテッドカーペットのタフト方向に直行する折り目を中心に、前記タフテッドカーペットのパイル糸側を内側に２つ折りにする谷折り部から次の山折り部までの間隔（Ａ）と該山折り部から次の谷折り部までの間隔（Ｂ）に１．５ｃｍ〜３ｃｍの差を設け、以降（Ａ）と（Ｂ）を交互に繰り返す谷折り部と山折り部を、最初の折り目に対称に設けているので、折り畳んだカーペットの谷折り部の側の重なりが、同じ位置になることなく前記差の分だけずれることからより一層コンパクトに折り畳むことができる。
【図面の簡単な説明】
【００２５】
【図１】本発明の一実施形態を示す平面図
【図２】図１におけるＡ−Ａ‘線断面図
【図３】図１に示す家庭用カーペットラグをタフト方向に直行する山折り部及び谷折り部で屏風状に折り畳んだ状態を示す説明図
【図４】図３の右側面図
【発明を実施するための最良の形態】
【００２６】
次に、この発明に係る家庭用カーペットラグの一実施形態を説明する。この実施形態の家庭用カーペットラグ１は、パイル糸と基布６と目止め層７を有し、パイル糸がループパイル２とカットパイル３からなり、前記タフテッドカーペットを折り畳む山折り部４及び谷折り部５のパイル糸がループパイル２であることを特徴とし（図１、図２参照）、山折り部４及び谷折り部で容易に折り畳むことができるカーペットである。
【００２７】
本発明において、パイル糸の素材としては特に限定されず、ポリエステル繊維、ポリアミド繊維、ポリプロピレン繊維、アクリル繊維、レーヨン繊維等の合成繊維からなるもの等を好適に使用でき、その他麻、綿、羊毛等の天然繊維からなるもの等も使用できる。なかでも洗濯後の脱水や乾燥し易さからポリエステル繊維が好ましい。
【００２８】
パイルの形態としは、少なくともタフテッドカーペットを折り畳む山折り部４及び谷折り部５のパイル糸がループパイル２であればよく、他の部分はカットパイルであっても、ル−プパイルであってもよい。また、パイル糸の目付は６００〜８００ｇ／ｍ２に設定するのが好ましい。６００ｇ／ｍ２未満ではカ−ペットとしての品位の劣ったものとなり、好ましくない。また、８００ｇ／ｍ２を超えると嵩張り、折り畳みにくくなるおそれがあるため好ましくない。
【００２９】
基布６としては、特に限定されるものではなく、ポリエステル繊維やポリプロピレン繊維、麻、綿等の天然繊維からなる織、編基布、不織布等通常使用される基布でよい。また、目止め層７の保護やクッション性を付与するために不織布からなるセカンド基布８を積層するのが好ましい（図２参照）。
【００３０】
次に、目止め層７としては、パイル糸と基布６とを固定できる樹脂組成物やゴム組成物であれば特に限定されず、例えば樹脂組成物の樹脂成分としてはアクリル系、ウレタン系、ポリ塩化ビニル、ポリエチレン、ポリプロピレン、エチレン−酢酸ビニル共重合体（ＥＶＡ）等の樹脂が挙げられる。ゴム組成物のゴム成分としてはＳＢＲ（スチレン−ブタジエンゴム）、ＮＢＲ（アクリロニトリル−ブタジエンゴム）、ＭＢＲ（メチルメタクリレート−ブタジエンゴム）あるいは天然ゴム等が挙げられる。また、目止め層７にさらに、バッキング層として、目止め層７と同じ樹脂組成物に、充填剤として炭酸カルシウム、水酸化アルミニウム、水酸化マグネシウム、フライアッシュ等を添加した樹脂を積層してバッキング層を形成してもよい。
【００３１】
また、図２に示すように目止め層７の下側にクッション性能を付与すべく、不織布からなるセカンド基布８を設けてもよい。セカンド基布８としては、特に限定されず、ニ−ドルパンチ不織布、スパンボント不織布等を例示できる。セカンド基布８の目付は６０〜１１０ｇ／ｍ２、その厚さを１〜３ｍｍの範囲に設定するのが好ましい。セカンド基布８の目付が、６０ｇ／ｍ２未満ではカ−ペットとしての品位の劣ったものとなり、好ましくない。１１０ｇ／ｍ２を超えると嵩張り、折り畳みにくくなるおそれがあるため好ましくない。素材としては、パイル糸、基布６と同様に特に限定されない。また、セカンド基布８の最下部表面に、樹脂組成物やゴム組成物で滑り止め層を形成してもよい。
【００３２】
本発明の家庭用カーペットラグ１は、図１に示すようにタフテッドカーペットを折り畳む山折り部４及び谷折り部５のパイル糸のみがループパイル２であるのが好ましく、カーペットのどこを折り畳めるかがより分かり易いため、誰でもコンパクトに折り畳めるカーペットとなる。
【００３３】
また、矩形のタフテッドカーペットのタフト方向に直行する山折り部及び谷折り部で屏風状に折り畳む山折り部と谷折り部の合計数が奇数であることが好ましい。
図１において、タフト方向に直行する山折り部及び谷折り部で屏風状に折り畳む山折り部と谷折り部の合計数が５なので、カーペットの表面（パイル面）または裏面のいずれか一方の面だけを外側することができ、例えば、カーペットの表面を外側にして畳むには、タフト方向に直行する山折り部４及び谷折り部５で屏風状に折り畳めばよい（図３参照）。
【００３４】
また、矩形のタフテッドカーペットのタフト方向に山折り部及び谷折り部で屏風状に折り畳む山折り部と谷折り部の合計数が２又は奇数であることが好ましい。図３において、山折り部及び谷折り部で屏風状に折り畳む山折り部と谷折り部の合計数が５なので、カーペットの表面だけを外側にして畳むことができる。こうして、汚れの激しい面等を外側にすることができるので、より効果的に洗濯することができるカーペットとなる。
【００３５】
また、山折り部の幅が１ｃｍ〜４ｃｍであり、谷折り部の幅が１ｃｍ〜４ｃｍであるのが好ましく、十分折り曲げや易いばかりでなく、折り畳んだ後の山折り部及び谷折り部とも馴染むためより一層コンパクトに折り畳むことができるカーペットとなる。
【００３６】
また、矩形のタフテッドカーペットのタフト方向に直行する山折り部及び谷折り部で屏風状に折り畳んだ後、タフト方向に平行な山折り部及び谷折り部で屏風状に折り畳むことが好ましく、厚みがあっても曲げ易く畳みやすい。さらに、略外寸が底面の縦及び横が３０ｃｍ〜３８ｃｍ角、高さ２８ｃｍ〜３５ｃｍとなるのが好ましい。こうして、容量９Ｋｇの家庭用洗濯機で無理なく容易に洗濯することができるカーペットとなる。
【００３７】
また、矩形のタフテッドカーペットのタフト方向に直行する折り目を中心に、パイル糸側を外側に２つ折りにする山折り部から次の谷折り部までの間隔（Ａ）と該谷折り部から次の山折り部までの間隔（Ｂ）に１．５ｃｍ〜３ｃｍの差を設け、以降（Ａ）と（Ｂ）を交互に繰り返す山折り部と谷折り部を、最初の折り目に対称に設けるのが好ましい。山折り部の同士が同じ位置で重ならず、間隔１．５ｃｍ〜３ｃｍの範囲でずれるのが好ましい（図４参照）。こうして、折り畳んだカーペットの山折り部の側の重なりが、同じ位置になることなく前記差の分だけずれることからより一層コンパクトに折り畳むことができるカーペットとなる。
【００３８】
また、矩形のタフテッドカーペットのタフト方向に直行する折り目を中心に、パイル糸側を内側に２つ折りにする谷折り部から次の山折り部までの間隔（Ａ）と該山折り部から次の谷折り部までの間隔（Ｂ）に１．５ｃｍ〜３ｃｍの差を設け、以降（Ａ）と（Ｂ）を交互に繰り返す谷折り部と山折り部を、最初の折り目に対称に設けるのが好ましい。上述の前記タフテッドカーペットのパイル糸側を外側に２つ折りにするのと同様である。
【実施例】
【００３９】
次に、本発明の具体的な実施例について説明するが、本発明はこれらの実施例のものに特に限定されるものではない。なお、この発明の実施例として使用したカーペットの材質は次の通りである。
【００４０】
＜使用材料＞
基布・・・目付９７ｇ／ｍ２のポリプロピレン繊維からなる織基布
パイル糸・・・ポリエステル繊維からなるパイル糸をタフティング機（１／８Ｇ）で基布に植え込む（カットパイル長１０．５ｍｍ、ループパイル長７ｍｍ〜３ｍｍ、目付７００ｇ／ｍ２）
目止め層・・・ＳＢＲラテックス
セカンド基布・・・ポリエステル繊維からなるニードルパンチ不織布（目付７０ｇ／ｍ２、厚さ１．５ｍｍ）
【００４１】
＜実施例１＞
基布にパイル糸をタフティング機で植え込んで、カーペット表皮層とした。次に、目止め層としてＳＢＲを塗布し、さらに目止め層の下側にセカンド基布を積層してから１５０℃×１５分乾燥してカーペットとした。このカーペットを裁断縫製し、１９０ｃｍ×１９０．５ｃｍサイズ、厚みは１３ｍｍの家庭用カーペットラグを得た。図１のタフト方向と直行する方向に幅２．０ｃｍのループパイル部を３０ｃｍ間隔で設け、タフト方向に平行に幅１．５ｃｍのループパイル部を３０．５ｃｍｍ間隔で設けた。タフト方向に直行する山折り部と谷折り部の合計数、タフト方向の山折り部と谷折り部の合計数はともに５であった。タフト方向に直行する山折り部でパイル面が外側になるように屏風状に折り畳み、さらタフト方向に平行する山折り部及び谷折り部で屏風状に折り畳んだ結果、パイル面を底面として底面の大きさは３５ｃｍ×３２ｃｍで、高は３０ｃｍであった。折り畳み性評価結果は「○」で合格であった。また、洗濯性評価の結果も「○」で合格であった。
【００４２】
＜実施例２＞
実施例１において、山折り部、谷折り部以外のパイルをカット＆ループパイルとし、図１のタフト方向と直行する方向に端から順に３１ｃｍ、２８ｃｍ、３１ｃｍ、３１ｃｍ、２８ｃｍの間隔あけて幅２．０ｃｍのループパイル部を設けた以外は実施例１と同様にして１９０ｃｍ×１９０．５ｃｍサイズ、厚みは１３ｍｍの家庭用カーペットラグを得た。折り畳んだところ図４のように２ｃｍのずれがあり、嵩張らずよりコンパクトに折り畳むことができた。折り畳んだ結果は、パイル面を底面として底面の大きさは３５ｃｍ×３２ｃｍで、高は２９ｃｍであった。折り畳み性評価結果は「○」で合格であった。また、洗濯性評価の結果も「○」で合格であった。
【００４３】
【表１】
2016221169.tif 000003
【００４４】
＜比較例１＞  
実施例１において、山折り部及び谷折り部を含め全てカットパイルとした以外は実施例１と同様にして１９０ｃｍ×１９０．５ｃｍサイズ、厚みは１３ｍｍのカーペットラグを得た。折り畳んだ結果は、パイル面を底面として底面の大きさは３５ｃｍ×３２ｃｍで、高は３５ｃｍであった。どこで折り曲げたらよいか分からず、しかも折り曲げに力を要した。折り畳み性評価結果は「×」で不合格であった。また、洗濯機に入れて洗濯した。洗濯性評価結果も「△」で不合格であった。
【００４５】
＜折り畳み性評価＞
カーペットラグを折り畳み、次の基準で評価し「○」を合格とした。
「○」：折り畳み易く、嵩張らずコンパクトに折り畳めた。
「△」：折り畳むと、折り返しがやや嵩張った。
「×」：折り目に荷重をかけて折り畳んだ。
【００４６】
＜洗濯性評価法＞
カーペットラグを容量９Ｋｇの家庭用洗濯機に入れて洗濯し、次の基準で評価し「○」を合格とした。
「○」：容易入れることができて、しかも十分洗濯できた。
「△」：入れることができ、洗濯できた。
「×」：何とか入れることができたが、洗濯は十分ではなかった。
【００４７】
表１から明らかなように、本発明の家庭用カーペットラグは、比較的ボリュームがあるカーペットラグにもかかわらず、折り畳みのための切り込みを設けなくても、徒に嵩張らずコンパクトに折り畳むことができ、１９０ｃｍ×１９０．５ｃｍサイズのカーペットラグが、容量９Ｋｇの家庭用洗濯機に容易入り、十分洗濯することができた。
【００４８】
一方、比較例１のカーペットでは、どこで折り返したらよいか分からず、しかも折り曲げに力を要し、本発明の家庭用カーペットラグより劣る結果であった。
【産業上の利用可能性】
【００４９】
本発明は、嵩張らずコンパクトに折り畳むことができるため、ボリュームがあるカーペットラグであっても洗濯可能となるので、手軽に家庭用洗濯機で洗濯することがでる。
【符号の説明】
【００５０】
１…家庭用カーペットラグ
２…ループパイル
３…カットパイル
４…山折り部
５…谷折り部
６…基布
７…目止め層
８…セカンド基布
ｄ…山折り部の同士が同士の重なりのずれ
【図３】
2016221169.tif 000004
【図４】
2016221169.tif 000005
【図１】
2016221169.tif 000006
【図２】
2016221169.tif 000007